(57)【要約】【課題】菓子用ケース自体を手で持ったまま菓子を容易に食べることができる菓子用ケースを提供する。【解決手段】菓子用ケース１は、可撓性を有するシート状部材２によって構成する。菓子用ケース１は、菓子を支持する底部５を備える。底部５の周端には、周壁部６を一体に立設する。周壁部切込７を周壁部６の互いに離間対向する位置にその周壁部６の上端から下端にわたって形成する。周壁部切込７に連続する底部切込８を底部５の周端部分に形成する。【選択図】図１
0003177334.tif 000002
【実用新案登録請求の範囲】
【請求項１】
可撓性を有するシート状部材によって構成された菓子用ケースであって、
菓子を支持する底部と、
この底部の周端に立設された周壁部と、
この周壁部の互いに離間対向する位置に前記周壁部の上端から下端にわたって形成された周壁部切込と
を備えることを特徴とする菓子用ケース。
【請求項２】
周壁部切込に連続する底部切込が、底部の周端部分に形成されている
ことを特徴とする請求項１記載の菓子用ケース。
【請求項３】
周壁部切込を開くことにより、底部が底部切込に沿ってその底部の中央部で折れ曲がるようになっている
ことを特徴とする請求項２記載の菓子用ケース。
【請求項４】
周壁部切込は、直線状またはＶ字状に形成されている
ことを特徴とする請求項１ないし３のいずれか一記載の菓子用ケース。
【考案の詳細な説明】
【技術分野】
【０００１】
本考案は、可撓性のシート状部材によって構成された菓子用ケースに関する。
【背景技術】
【０００２】
従来、例えば特許文献１に記載された菓子用ケースが知られている。
【０００３】
この従来の菓子用ケースは、薄紙とこの薄紙の内面に貼着された合成樹脂製の保形フィルムとからなる可撓性のシート状部材によって構成されている。
【０００４】
そして、この菓子用ケースは、菓子を支持する円形状の底部と、この底部の周端全周に一体に立設された断面波形状の周壁部とを備えている。
【先行技術文献】
【特許文献】
【０００５】
【特許文献１】実公平７−６７８２号公報（第１図）
【考案の概要】
【考案が解決しようとする課題】
【０００６】
しかしながら、上記従来の菓子用ケースでは、例えば手が汚れないように菓子用ケース自体を手で持ったまま、その菓子用ケース内の菓子を食べようとした際に、菓子用ケースを折り曲げにくく、菓子を食べにくい場合がある。
【０００７】
本考案は、このような点に鑑みなされたもので、菓子用ケース自体を手で持ったまま、菓子を容易に食べることができる菓子用ケースを提供することを目的とする。
【課題を解決するための手段】
【０００８】
請求項１記載の菓子用ケースは、可撓性を有するシート状部材によって構成された菓子用ケースであって、菓子を支持する底部と、この底部の周端に立設された周壁部と、この周壁部の互いに離間対向する位置に前記周壁部の上端から下端にわたって形成された周壁部切込とを備えるものである。
【０００９】
請求項２記載の菓子用ケースは、請求項１記載の菓子用ケースにおいて、周壁部切込に連続する底部切込が、底部の周端部分に形成されているものである。
【００１０】
請求項３記載の菓子用ケースは、請求項２記載の菓子用ケースにおいて、周壁部切込を開くことにより、底部が底部切込に沿ってその底部の中央部で折れ曲がるようになっているものである。
【００１１】
請求項４記載の菓子用ケースは、請求項１ないし３のいずれか一記載の菓子用ケースにおいて、周壁部切込は、直線状またはＶ字状に形成されているものである。
【考案の効果】
【００１２】
本考案によれば、菓子を食べ易いように菓子用ケースを折り曲げることが容易であるため、菓子用ケース自体を手で持ったまま、菓子を容易に食べることができる。
【図面の簡単な説明】
【００１３】
【図１】本考案の一実施の形態に係る菓子用ケースの斜視図である。
【図２】同上菓子用ケースの使用状態を示す斜視図である。
【図３】本考案の他の実施の形態に係る菓子用ケースの斜視図である。
【考案を実施するための形態】
【００１４】
本考案の一実施の形態を図面を参照して説明する。
【００１５】
図１および図２において、１は菓子用ケースで、この菓子用ケース１は、例えば上面開口部を有するカップ形状をなすもので、可撓性を有するシート状部材２によって一体に構成されている。つまり、この菓子用ケース１は、例えばプレス機を用いて所定形状のシート状部材２をプレス成形して所望のカップ形状にしたものである。
【００１６】
なお、シート状部材２は、例えば薄肉状の合成樹脂フィルム、すなわち例えばＰＥＴフィルム（ポリエチレンテレフタレート製のフィルム）である。
【００１７】
そして、このカップ形状の菓子用ケース１上には、例えば菓子用ケース１に対応した形状の菓子Ａが載置される。つまり、この菓子Ａは、菓子用ケース１上に載置された状態で販売される。
【００１８】
なお、菓子Ａは、例えば焼き菓子（パウンドケーキ、スティックケーキ等）、焼き菓子（エクレア等）、半生菓子（スフレチーズケーキ等）、蒸し菓子或いは菓子パン等である。
【００１９】
菓子用ケース１は、図１および図２に示されるように、菓子Ａの底面を支持する楕円小判状の底部５と、この底部５の周端全周に一体に立設され菓子Ａの側面を覆う周壁部６とを備えている。
【００２０】
周壁部６は、菓子用ケース１の長手方向に沿って位置して互いに離間対向する矩形状の１対の平面状部分6aと、互いに離間対向する１対の曲面状部分である円弧面状部分6bとにて構成されている。なお、円弧面状部分6bの断面形状は、波形状になっている。
【００２１】
そして、周壁部６の互いに離間対向する位置である２箇所の位置には、上下方向に沿った直線状の周壁部切込７が周壁部６の上端から下端にわたって形成されている。つまり、周壁部６の各平面状部分6aの長手方向中央部には、周壁部切込７が平面状部分6aの上端から下端にわたって形成されている。
【００２２】
また、底部５の長手方向中央部の周端部分における２箇所の位置には、周壁部切込７に連続する底部切込８が水平方向に沿った直線状に形成されている。つまり、底部５の周端部分のうち、底部５の長手方向の中央部を通る短手方向に沿った仮想中央線上の２箇所の位置には、その仮想中央線に沿った短い直線状の底部切込８が底部５の周端から内方に向かって形成されている。この底部切込８の長さ寸法は、例えば３ｍｍ〜５ｍｍである。
【００２３】
なお、周壁部６に形成された周壁部切込７の下端と、底部５に形成された底部切込８の外端とが繋がっており、これら周壁部切込７と底部切込８とでケース折り曲げ用の切込部10が構成されている。
【００２４】
そして、２つの対をなす周壁部切込７を開くことにより、底部５が底部切込（仮想中央線）８に沿ってその底部５の中央部（略中央部を含む）で折れ曲がるようになっている。
【００２５】
すなわち、周壁部切込７および底部切込８が菓子用ケース１の長手方向中央部に形成されているため、両周壁部切込７を開くことにより、底部５がその長手方向中央部で折れ曲がるようになっている。
【００２６】
次に、菓子用ケース１の作用等を説明する。
【００２７】
例えば菓子Ａを買った人が菓子用ケース１内の菓子Ａを食べる場合、その人は、手が菓子Ａで汚れないように、菓子用ケース１自体を手で持つ。
【００２８】
そして、図２に示すように、その人は、菓子Ａを食べ易いように、菓子用ケース１をその長手方向中央部で折り曲げ、菓子用ケース１のうち手で持っていない側の半分を底部５の長手方向中央部を中心として下方回動させて菓子Ａから離す。
【００２９】
すなわち例えば、周壁部６の一部を摘んで、両周壁部切込７を開くようにすると、底部５が底部切込８に沿って容易に折れ曲がり、その結果、菓子用ケース１の一方側の半分を持ったまま、菓子用ケース１の他方側の半分が菓子Ａから下方側へ離れる。
【００３０】
このため、その人は、露出した菓子Ａの半分をスムーズに口に入れることが可能となり、また菓子Ａの残りの半分も菓子用ケース１を持ったまま手を汚さずに食べることが可能である。
【００３１】
そして、菓子用ケース１によれば、切込部10がない従来のものに比べて、菓子Ａを食べ易いように菓子用ケース１を折り曲げることが容易であるため、手を汚すことなく、菓子用ケース１自体を手で持ったまま、菓子Ａを容易に食べることができる。
【００３２】
また、周壁部切込７に連続する底部切込８が底部５の周端部分に形成されているため、菓子Ａを食べ易いように菓子用ケース１を容易かつ適切に折り曲げることができ、よって、菓子Ａをより一層容易に食べることができる。
【００３３】
さらに、周壁部切込７を開くことにより、底部５が底部切込８に沿ってその底部５の中央部で折れ曲がるようになっているため、菓子Ａを食べ易いように菓子用ケース１をその中央部で容易かつ適切に折り曲げることができ、よって、菓子Ａをより一層容易に食べることができる。
【００３４】
なお、菓子用ケース１の周壁部切込７の形状は、直線状には限定されず、例えば図３に示すように、Ｖ字状（略Ｖ字状を含む）であってもよく、また例えば曲線状やジグザグ状等でもよい。同様に、底部切込８の形状も、例えば周壁部切込７に連続するＶ字状等でもよい。
【００３５】
また、菓子用ケース１を構成するシート状部材２の材質は、ＰＥＴフィルムには限定されず、任意であり、例えばＯＰＰフィルム、グラシン紙、シリコングラシン紙、パーチメント紙、アルミニウム箔、純白ペット等でもよい。
【００３６】
さらに、菓子用ケース１は、例えば焼き上がった焼き菓子や蒸し上がった蒸し菓子等を載置するもの等には限定されず、例えば菓子用ケース１をセルクル等の枠部材内にセットしてから、菓子原料を菓子用ケース１内に流し込み、その後、菓子原料を菓子用ケース１とともにオーブン等の加熱装置で加熱するようなものや、羊羹のような生菓子でもよい。なお、このように使用する菓子用ケース１は、耐熱性を有するシート状部材２によって構成する必要がある。
【００３７】
また、菓子用ケース１の底部５の形状は、例えば真円形状や矩形状等でもよい。
【００３８】
さらに、菓子用ケース１は、周壁部切込７および底部切込８を有する構成には限定されず、例えば周壁部切込７のみを有する構成等でもよい。
【００３９】
また、例えば対をなすケース折り曲げ用の切込部10が菓子用ケース１の４箇所や６箇所の位置に形成された構成等でもよい。
【００４０】
さらに、ケース折り曲げ用の切込部10は、菓子用ケース１の中央部に形成されることが好ましいが、中央部以外の部分に形成してもよい。
【符号の説明】
【００４１】
１    菓子用ケース
２    シート状部材
５    底部
６    周壁部
７    周壁部切込
８    底部切込
Ａ    菓子
【図１】
0003177334.tif 000003
【図２】
0003177334.tif 000004
【図３】
0003177334.tif 000005